(57)【要約】      （修正有）【課題】携帯及び使用に便利な入力装置と、携帯に便利な上、複数の機能を有する入力装置を有するスタイラスと、を提供する。【解決手段】入力装置１は、可撓性本体１１、誘導電極層１２及び保護層１３を含む。可撓性本体１１は、第１側１１１及び第２側１１２を有する。誘導電極層１２は、可撓性本体１１の第２側１１２に設けられる第１の誘導電極１２１及び第２の誘導電極１２２を有する。保護層１３は、可撓性本体１１の第２側１１２に設けられる上、誘導電極層１２を被覆する。スタイラスに入力装置１が結合され、スタイラス内に入力装置１を収容することができる構造であるため、携帯に便利である。【選択図】図１
0003185484.tif 000002
【実用新案登録請求の範囲】
【請求項１】
可撓性本体、誘導電極層及び保護層を備える入力装置であって、
前記可撓性本体は、第１側及び第２側を有し、
前記誘導電極層は、第１の誘導電極及び第２の誘導電極を有し、前記第１の誘導電極と前記第２の誘導電極とは、対向配置される上、互いに接触せず、前記誘導電極層は、前記可撓性本体の第２側に設けられ、
前記保護層は、前記可撓性本体の第２側に設けられる上、前記誘導電極層を被覆することを特徴とする入力装置。
【請求項２】
前記可撓性本体には、タッチ領域及び非タッチ領域が画定され、前記非タッチ領域は、前記タッチ領域の周囲に設けられ、前記誘導電極層の第１の誘導電極及び第２の誘導電極は、前記タッチ領域内に設けられ、前記誘導電極層の第１の誘導電極及び第２の誘導電極の一部は、前記非タッチ領域まで延設されることを特徴とする請求項１に記載の入力装置。
【請求項３】
前記第１の誘導電極及び第２の誘導電極に電気的に接続されるフレキシブル回路基板を更に備えることを特徴とする請求項１に記載の入力装置。
【請求項４】
前記第１の誘導電極及び前記第２の誘導電極に電気的に接続される無線信号送信装置を更に備え、前記無線信号送信装置は、赤外線送信器、ブルートゥース送信器、ＲＦ信号送信器又はＮＣＦ送信チップであることを特徴とする請求項１に記載の入力装置。
【請求項５】
少なくとも１つの発光装置及び光学部材を有し、前記保護層の第２側と反対側に設けられるバックライトモジュールを更に備えることを特徴とする請求項１に記載の入力装置。
【請求項６】
前記保護層の前記可撓性本体の第２側と反対側には、干渉防止層が設けられることを特徴とする請求項１に記載の入力装置。
【請求項７】
前記可撓性本体の第１側には、印刷、刻印又は圧印によって形成される図形層が設けられることを特徴とする請求項１に記載の入力装置。
【請求項８】
前記可撓性本体は、ポリエチレンテレフタラート、ポリカーボネート、ポリエチレン、ポリ塩化ビニル、ポリプロピレン、ポリスチレン、ポリメタクリル酸メチル又はシクロアルケン共重合体である高分子材料からなることを特徴とする請求項１に記載の入力装置。
【請求項９】
本体、巻取ユニット、入力装置を備える入力装置を有するスタイラスであって、
前記本体は、収容チャンバ及び開口を有し、
前記巻取ユニットは、前記収容チャンバ内に設けられ、
前記入力装置は、一方の端部が前記巻取ユニットに接続される上、前記収容チャンバ内に巻取収容され、前記入力装置の他方の端部は、前記開口部分から突出し、
前記入力装置は、可撓性本体、誘導電極層及び保護層を有し、
前記可撓性本体は、第１側及び第２側を有し、
前記誘導電極層は、第１の誘導電極及び第２の誘導電極を有し、前記第１の誘導電極と前記第２の誘導電極とは、対向配置される上、互いに接触せず、前記誘導電極層は、前記可撓性本体の第２側に設けられ、
前記保護層は、前記可撓性本体の第２側に設けられる上、前記誘導電極層を被覆することを特徴とする入力装置を有するスタイラス。
【請求項１０】
前記本体の一方の端部は、タッチヘッド部を有することを特徴とする請求項８に記載の入力装置を有するスタイラス。
【請求項１１】
前記可撓性本体には、タッチ領域及び非タッチ領域が画定され、前記非タッチ領域は、前記タッチ領域の周囲に設けられ、前記誘導電極層の第１の誘導電極及び第２の誘導電極は、前記タッチ領域内に設けられ、前記誘導電極層の第１の誘導電極及び第２の誘導電極の一部は、前記非タッチ領域まで延設されることを特徴とする請求項８に記載の入力装置を有するスタイラス。
【請求項１２】
前記第１の誘導電極及び第２の誘導電極に電気的に接続されるフレキシブル回路基板を更に備えることを特徴とする請求項８に記載の入力装置を有するスタイラス。
【請求項１３】
前記第１の誘導電極及び前記第２の誘導電極に電気的に接続される無線信号送信装置３を更に備え、前記無線信号送信装置は、赤外線送信器、ブルートゥース送信器、ＲＦ信号送信器又はＮＣＦ送信チップであることを特徴とする請求項８に記載の入力装置を有するスタイラス。
【請求項１４】
少なくとも１つの発光装置及び光学部材を有し、前記保護層の第２側と反対側に設けられるバックライトモジュールを更に備えることを特徴とする請求項８に記載の入力装置を有するスタイラス。
【請求項１５】
前記保護層の前記可撓性本体の第２側と反対側には、干渉防止層が設けられることを特徴とする請求項８に記載の入力装置を有するスタイラス。
【請求項１６】
前記可撓性本体の第１側には、印刷、刻印又は圧印によって形成される図形層が設けられることを特徴とする請求項８に記載の入力装置を有するスタイラス。
【考案の詳細な説明】
【技術分野】
【０００１】
本考案は、入力装置及び入力装置を有するスタイラスに関し、特に、携帯及び使用に便利な入力装置及び入力装置を有するスタイラスに関する。
【背景技術】
【０００２】
近年、タッチパネル技術の発展に伴い、スマートフォン、タブレットコンピュータ、ＭＰ５などの表示機能を有する携帯型電子装置には、従来の空間を占有する機械式ボタンに代わり、タッチパネルが採用されている。
【０００３】
タブレットコンピュータ、スマートフォンなどの携帯型電子装置、テレビなどは、手書き入力機能及びタッチ入力機能を有するものが増加しており、指又はスタイラスにより、タッチ操作を行うことができるため、非常に便利である。しかし、スマートフォン、タブレットコンピュータなどの携帯型電子装置のモニターは、小型であるため、手書き入力又はタッチ入力を行うのに不便である。このため、業者によっては、機械式ボタンを有するミニキーボード及び／又は薄型キーボードを備える製品を開発している。このミニキーボード及び／又は薄型キーボードは、ＵＳＢ又はブルートゥースにより、スマートフォン、タブレットコンピュータなどの携帯型電子装置に接続されて使用される。これにより、入力作業を便利に行うことができるが、ミニキーボード及び／又は薄型キーボードは、やはり空間を占有するため、携帯に不便である。
【０００４】
また、業者によっては、組合式及び折畳式のキーボードを開発しているが、前述のミニキーボードと同様に、何れも携帯に不便であるため、必需品とはなっていない。
【先行技術文献】
【特許文献】
【０００５】
【特許文献１】特許公開２０１３−５４７３８号公報
【考案の概要】
【考案が解決しようとする課題】
【０００６】
本考案の主な目的は、携帯及び使用に便利な入力装置を提供することにある。
本考案のもう１つの目的は、携帯に便利な上、複数の機能を有する入力装置を有するスタイラスを提供することにある。
【課題を解決するための手段】
【０００７】
上述の課題を解決するために、本考案は、入力装置を提供するものである。本考案の入力装置は、可撓性本体、誘導電極層及び保護層を含む。
【０００８】
可撓性本体は、第１側及び第２側を有する。誘導電極層は、第１の誘導電極及び第２の誘導電極を有する。第１の誘導電極と第２の誘導電極とは、対向配置される上、互いに接触しない。誘導電極層は、可撓性本体の第２側に設けられる。保護層は、可撓性本体の第２側に設けられる上、誘導電極層を被覆する。
【０００９】
上述の課題を解決するために、本考案は、入力装置を有するスタイラスを提供するものである。本考案の入力装置を有するスタイラスは、本体、巻取ユニット及び入力装置を含む。入力装置は、可撓性本体、誘導電極層及び保護層を含む。本体は、収容チャンバ及び開口を有する。巻取ユニットは、収容チャンバ内に設けられる。入力装置は、一方の端部が巻取ユニットに接続される上、収容チャンバ内に巻取収容される。入力装置の他方の端部は、開口部分から突出する。入力装置は、可撓性本体、誘導電極層及び保護層を含む。可撓性本体は、第１側及び第２側を有する。誘導電極層は、第１の誘導電極及び第２の誘導電極を有する。第１の誘導電極と第２の誘導電極とは、対向配置される上、互いに接触しない。誘導電極層は、可撓性本体の第２側に設けられる。保護層は、可撓性本体の第２側に設けられる上、誘導電極層を被覆する。
【考案の効果】
【００１０】
本考案の入力装置及び入力装置を有するスタイラスは、携帯及び操作に便利であり、従来技術の欠点を改善することができる。
【図面の簡単な説明】
【００１１】
【図１】本考案の第１実施形態による入力装置を示す分解斜視図である。
【図２】本考案の第１実施形態による入力装置を示す斜視図である。
【図３】本考案の第２実施形態による入力装置を示す斜視図である。
【図４】本考案の第３実施形態による入力装置を示す斜視図である。
【図５】本考案の第４実施形態による入力装置を示す分解斜視図である。
【図６】本考案の第５実施形態による入力装置を示す断面図である。
【図７】本考案の第６実施形態による入力装置を示す斜視図である。
【図８】本考案の一実施形態による入力装置を有するスタイラスを示す斜視図である。
【図９】本考案の一実施形態による入力装置を有するスタイラスを示す一部切開斜視図である。
【図１０】本考案の一実施形態による入力装置を有するスタイラスを操作する状態を示す斜視図である。
【考案を実施するための形態】
【００１２】
本考案の目的、構造及び機能上の特徴を示す実施形態を図面に沿って詳細に説明する。
【００１３】
（第１実施形態）
図１及び図２を参照する。図１は、本考案の第１実施形態による入力装置を示す分解斜視図である。図２は、本考案の第１実施形態による入力装置を示す斜視図である。図１及び図２に示すように、本考案の第１実施形態による入力装置１は、可撓性本体１１、誘導電極層１２及び保護層１３を含む。
【００１４】
可撓性本体１１は、第１側１１１及び第２側１１２を有する。誘導電極層１２は、透明及び透光のＩＴＯ、ナノ銀又は金属ペーストからなり、第１の誘導電極１２１及び第２の誘導電極１２２を有する。第１の誘導電極１２１と第２の誘導電極１２２とは、対向配置される上、互いに接触しない。誘導電極層１２は、可撓性本体１１の第２側１１２に設けられる。保護層１３は、可撓性本体１１の第２側１１２に設けられる上、誘導電極層１２を被覆する。
【００１５】
可撓性本体１１には、タッチ領域１１３及び非タッチ領域１１４が画定される。非タッチ領域１１４は、タッチ領域１１３の周囲に設けられる。誘導電極層１２の第１の誘導電極１２１及び第２の誘導電極１２２は、タッチ領域１１３内に設けられる。誘導電極層１２の第１の誘導電極１２１及び第２の誘導電極１２２の一部は、非タッチ領域１４まで延設される。第１の誘導電極１２１と第２の誘導電極１２２とは、互いに対向配置されるが、互いに接触したり、重なり合ったりしない。
【００１６】
（第２実施形態）
図３を参照する。図３は、本考案の第２実施形態による入力装置を示す斜視図である。図３に示すように、本考案の第２実施形態による入力装置は、前述の第１実施形態と一部構造が同一であるため、同一部分は、ここでは述べない。本考案の第２実施形態においては、フレキシブル回路基板２を更に有する。フレキシブル回路基板２は、前述の第１の誘導電極１２１及び第２の誘導電極１２２に電気的に接続される。
【００１７】
（第３実施形態）
図４を参照する。図４は、本考案の第３実施形態による入力装置を示す斜視図である。図４に示すように、本考案の第３実施形態による入力装置は、前述の第１実施形態と一部構造が同一であるため、同一部分は、ここでは述べない。本考案の第３実施形態においては、第１の誘導電極１２１及び第２の誘導電極１２２に電気的に接続される無線信号送信装置３を更に有する。無線信号送信装置３は、赤外線送信器、ブルートゥース（登録商標）送信器、ＲＦ信号送信器又はＮＣＦ送信チップである。無線信号送信装置３により、入力装置１と他の電子装置とを連結して使用することができる。
【００１８】
（第４実施形態）
図５を参照する。図５は、本考案の第４実施形態による入力装置を示す分解斜視図である。図５に示すように、本考案の第４実施形態による入力装置は、前述の第１実施形態と一部構造が同一であるため、同一部分は、ここでは述べない。本考案の第４実施形態においては、バックライトモジュール４を更に有する。バックライトモジュール４は、少なくとも１つの発光装置４１及び光学部材４２を有する。バックライトモジュール４は、保護層１３の前述の第２側１１２と反対側に設けられる。バックライトモジュール４により、入力装置１に光源が投射され、入力装置１に照明を提供したり、入力装置１上に文字又は図案を投射したりすることができる。
【００１９】
（第５実施形態）
図６を参照する。図６は、本考案の第５実施形態による入力装置を示す断面図である。図６に示すように、本考案の第５実施形態による入力装置は、前述の第１実施形態と一部構造が同一であるため、同一部分は、ここでは述べない。本考案の第５実施形態においては、保護層１３の前述の可撓性本体１１の第２側１１２と反対側に干渉防止層５が設けられる。干渉防止層５は、ＥＭＩ防止層であり、入力装置１の伝送信号が干渉を受けたり、ノイズの影響を受けたりするのを防止することができる。
【００２０】
（第６実施形態）
図７を参照する。図７は、本考案の第６実施形態による入力装置を示す斜視図である。図７に示すように、本考案の第６実施形態による入力装置は、前述の第１実施形態と一部構造が同一であるため、同一部分は、ここでは述べない。本考案の第６実施形態においては、可撓性本体１１の第１側１１１に図形層６が設けられる。図形層６は、印刷、刻印又は圧印により、可撓性本体１１の第１側１１１に形成される。これにより、第１側１１１には、仮想のボタン又は図形文字が形成される。
【００２１】
図８〜図１０を参照する。図８は、本考案の一実施形態による入力装置を有するスタイラスを示す斜視図である。図９は、本考案の一実施形態による入力装置を有するスタイラスを示す一部切開斜視図である。図１０は、本考案の一実施形態による入力装置を有するスタイラスを操作する状態を示す斜視図である。図８〜図１０に示すように、本考案の入力装置を有するスタイラス７は、本体７１、巻取ユニット７２、入力装置１を含む。入力装置１は、可撓性本体１１、誘導電極層１２及び保護層１３を含む。
【００２２】
本体７１は、収容チャンバ７１１及び開口７１２を有する。巻取ユニット７２は、収容チャンバ７１１内に設けられる。入力装置１は、一方の端部が巻取ユニット７２に接続される上、収容チャンバ７１１内に巻取収容される。入力装置１の他方の端部は、開口７１２部分から突出する。入力装置１の構造及び部材間の対応関係は、前述の入力装置１の第１実施形態と同一であるため、ここでは述べない。
【００２３】
入力装置を有するスタイラス７を操作する際は、本体７１の収容チャンバ７１１内に収容されている入力装置１を収容チャンバ７１１から引き出し、使用後は、巻取ユニット７２により、入力装置１を収容チャンバ７１１内に巻き取って回収する。
【００２４】
入力装置１は、タッチキーボード又は手書き入力パッドであり、無線信号送信装置３に電気的に接続される。入力装置１は、無線信号送信装置３により、他の電子設備又は電子装置とインタラクション操作を行うことができる。
【００２５】
上述の本考案の一実施形態による入力装置１は、キーボード入力機能及び手書き入力機能を有する。また、切換ユニット（図示せず）により、ユーザは、キーボード入力又は手書き入力を自由に選択して入力作業を行うことができる。切換ユニットは、実体のボタン又はスライドスイッチである。切換ユニットは、誘導電極層１２に電気的に接続される。
【００２６】
また、入力装置１の可撓性本体１１の非タッチ領域１１４には、第１の誘導電極１２１及び第２の誘導電極１２２に電気的に接続される電源が設置される。電源は、充電電池、交換可能な電池、太陽電池又はバイオ電池であり、無線入力に必要な電力を供給する。
【００２７】
上述の各実施形態中の入力装置１の可撓性本体１１は、高分子材料からなる。高分子材料は、ポリエチレンテレフタラート、ポリカーボネート、ポリエチレン、ポリ塩化ビニル、ポリプロピレン、ポリスチレン、ポリメタクリル酸メチル又はシクロアルケン共重合体であり、可撓性を有する上、薄型軽量であるため、携帯に便利である。
【符号の説明】
【００２８】
１  入力装置
１１  可撓性本体
１１１  第１側
１１２  第２側
１１３  タッチ領域
１１４  非タッチ領域
１２  誘導電極層
１２１  第１の誘導電極
１２２  第２の誘導電極
１３  保護層
２  フレキシブル回路基板
３  無線信号送信装置
４  バックライトモジュール
４１  発光装置
４２  光学部材
５  干渉防止層
６  図形層
７  入力装置を有するスタイラス
７１  本体
７１１  収容チャンバ
７１２  開口
７２  巻取ユニット
【図１】
0003185484.tif 000003
【図２】
0003185484.tif 000004
【図３】
0003185484.tif 000005
【図４】
0003185484.tif 000006
【図５】
0003185484.tif 000007
【図６】
0003185484.tif 000008
【図７】
0003185484.tif 000009
【図８】
0003185484.tif 000010
【図９】
0003185484.tif 000011
【図１０】
0003185484.tif 000012